(57)【要約】【課題】標準時刻電波信号を受信中であっても適切な時刻表示を行うことができ、駆動モータによるノイズの影響を低減して時刻修正を行うことができる電波修正時計を提供する。【解決手段】内部時計１４０１と、第１の期間ＴＬ１に時刻情報を含み第２の期間ＴＬ２に非時刻情報を含む標準時刻電波信号を受信する標準電波受信系１１と、駆動信号に基づいて指針を駆動するモータ１２１，１３１と、標準電波受信系１１が標準時刻電波信号を受信中、第１の期間ＴＬ１には第１のモータ１２１に秒針を停止させる駆動信号ＣＴＬ１を出力し、詳細にはパルス信号を出力しない、第２の期間ＴＬ２には第１のモータ１２１に、秒針を内部時計１４０１による時刻情報に応じた指針位置にまで早送り駆動させる駆動信号を出力する制御回路１４とを設ける。【選択図】図１
2005233660.tif 000002
【特許請求の範囲】
【請求項１】
内部時計と、
第１の期間に時刻情報を含み第２の期間に非時刻情報を含む標準時刻電波信号を受信する標準電波受信手段と、
駆動信号に基づいて指針を駆動する駆動手段と、
前記標準電波受信手段が標準時刻電波信号を受信中、前記第１の期間には前記駆動手段に前記指針を停止させる駆動信号を出力し、前記第２の期間には前記駆動手段に、前記指針を前記内部時計による時刻情報に応じた指針位置にまで早送り駆動させる駆動信号を出力する制御手段と
を有する電波修正時計。
【請求項２】
内部時計と、
第１の期間に時刻情報を含み第２の期間に非時刻情報を含む標準時刻電波信号を受信する標準電波受信手段と、
第１の指針を駆動する第１の駆動手段と、
第２の指針を駆動する第２の駆動手段と、
前記標準電波受信手段が標準電波信号を受信中、前記第１の期間には、少なくとも前記第１および第２の駆動手段のいずれかに前記指針を停止させる駆動信号を出力し、前記第２の期間には前記第１および第２の駆動手段に、前記第１および第２の指針を前記内部時計による時刻情報に応じた指針位置にまで早送り駆動させる駆動信号を出力する制御手段と
を有する電波修正時計。
【請求項３】
前記制御手段は、前記標準電波受信手段が標準時刻電波信号を受信中、前記第１の期間には前記駆動手段に駆動信号としてのパルス信号を停止する
請求項１または請求項２に記載の電波修正時計。
【請求項４】
前記制御手段は、前記標準電波受信手段が受信した標準時刻電波信号に含まれる時間情報に基づいて、内部時計による時刻情報を修正し、当該修正した内部時計による時刻情報に応じた指針位置となるように前記駆動信号を前記駆動手段に出力する
請求項１から請求項３のいずれか一に記載の電波修正時計。
【発明の詳細な説明】
【技術分野】
【０００１】
本発明は、例えば、標準時刻電波信号を受信して時刻修正を行う電波修正時計に関するものである。
【背景技術】
【０００２】
標準時刻電波信号を受信して、指針による表示時刻の修正を行う電波修正時計が知られている（例えば、特許文献１参照）。
一般的な電波修正時計は、駆動モータに駆動パルス信号を印加し、輪列を介して指針を駆動させている。
この際、従来の電波修正時計では、標準電波信号として佐賀県に設置された標準電波送信局から周波数６０ｋＨｚで送信された標準時刻電波信号や、福島県に設置された標準電波送信局から周波数４０ｋＨｚで送信された標準時刻電波信号を受信し、その標準時刻電波信号に基づいて、駆動モータに駆動パルス信号を印加して、表示時刻の修正を行う。
【特許文献１】特開２００１−３０５２４８号公報
【発明の開示】
【発明が解決しようとする課題】
【０００３】
従来の電波修正時計において、標準時刻電波信号を受信中に、例えば秒針や分針を駆動するために駆動モータに駆動パルス信号を印加した場合に、モータを駆動する際のノイズをアンテナを介して標準電波受信回路が受信してしまい、標準電波から時刻情報を適切に抽出することができない場合がある。
それを防止するために、標準時刻電波信号を受信している期間中、例えば約１０分間、駆動モータに印加する駆動パルス信号を停止する電波修正時計が知られている。しかし、受信期間中には秒針が停止しているため現時刻とのずれが大きくなる。
【０００４】
また、駆動モータのコイル端にノイズ吸収素子等を設けて、受信期間中のノイズの影響を低減した電波修正時計も知られている。しかし、アンテナとモータの距離が小さくなった場合にはノイズ吸収素子を設けたとしても、駆動モータによるノイズにより受信状態が悪化する。また、ノイズ吸収素子を設けた場合には消費電流が増加するため電池の寿命が短くなる。
【０００５】
このため、標準時刻電波信号を受信中であっても適切な時刻表示を行うことができ、駆動モータによるノイズの影響を低減して時刻修正を行うことができる電波修正時計が望まれている。
【０００６】
本発明は、かかる事情に鑑みてなされたものであり、その目的は、標準時刻電波信号を受信中であっても適切な時刻表示を行うことができ、駆動モータによるノイズの影響を低減して時刻修正を行うことができる電波修正時計を提供することにある。
【課題を解決するための手段】
【０００７】
前記目的を達成するために、本発明の第１の観点の電波修正時計は、内部時計と、第１の期間に時刻情報を含み第２の期間に非時刻情報を含む標準時刻電波信号を受信する受信手段と、駆動信号に基づいて指針を駆動する駆動手段と、前記受信手段が標準時刻電波信号を受信中、前記第１の期間には前記駆動手段に前記指針を停止させる駆動信号を出力し、前記第２の期間には前記駆動手段に、前記指針を前記内部時計による時刻情報に応じた指針位置にまで早送り駆動させる駆動信号を出力する制御手段とを有する。
【０００８】
また、前記目的を達成するために、本発明の第２の観点の電波修正時計は、内部時計と、第１の期間に時刻情報を含み第２の期間に非時刻情報を含む標準時刻電波信号を受信する標準電波受信手段と、第１の指針を駆動する第１の駆動手段と、第２の指針を駆動する第２の駆動手段と、前記標準電波受信手段が標準電波信号を受信中、前記第１の期間には、少なくとも前記第１および第２の駆動手段のいずれかに前記指針を停止させる駆動信号を出力し、前記第２の期間には前記第１および第２の駆動手段に、前記第１および第２の指針を前記内部時計による時刻情報に応じた指針位置にまで早送り駆動させる駆動信号を出力する制御手段とを有する。
【０００９】
好適には、前記制御手段は、前記標準電波受信手段が標準時刻電波信号を受信中、前記第１の期間には前記駆動手段に駆動信号としてのパルス信号を停止する。
【００１０】
また、好適には、前記制御手段は、前記標準電波受信手段が受信した標準時刻電波信号に含まれる時間情報に基づいて、内部時計による時刻情報を修正し、当該修正した内部時計による時刻情報に応じた指針位置となるように前記駆動信号を前記駆動手段に出力する。
【００１１】
本発明の電波修正時計によれば、制御手段は、受信手段が標準時刻電波信号を受信中、第１の期間には駆動手段に指針を停止させる駆動信号を出力し、第２の期間には駆動手段に、指針を内部時計による時刻情報に応じた指針位置にまで早送り駆動させる駆動信号を出力する。
【発明の効果】
【００１２】
本発明によれば、標準時刻電波信号を受信中であっても適切な時刻表示を行うことができ、駆動モータによるノイズの影響を低減して時刻修正を行うことができる電波修正時計を提供することができる。
【発明を実施するための最良の形態】
【００１３】
本発明に係る電波修正時計は、第１の期間に時刻情報を含み、第２の期間に非時刻情報を含む標準時刻電波信号を受信し、第１の期間には指針を駆動する駆動モータに指針を停止させる駆動信号を出力し、第２の期間には駆動モータに指針を内部時計による時刻情報に応じた指針位置にまで早送り駆動させる駆動信号を出力して現時刻表示を行わせる。
以下、図面を参照しながら説明する。
【００１４】
図１は本発明に係る電波修正時計の第１実施形態に係る電気的な機能ブロック図である。図２は図１に示した電波修正時計の構成図である。図３は図２に示した電波修正時計の断面図である。
【００１５】
本実施形態に係る電波修正時計１は、図１〜３に示すように、標準電波受信系１１、スイッチ群１２、発振回路１３、制御回路１４、ドライブ回路１５、発光素子１６、バッファ回路１７、ドライブ回路１８、時計本体１００、第１のモータ（秒針用モータ）１２１、第２のモータ（時分針用モータ）１３１、光検出センサ部１４０、手動修正系１５０、トランジスタＱ１〜Ｑ２、および抵抗素子Ｒ１〜Ｒ４、キャパシタＣ１３１，Ｃ１３２を有する。
制御回路１４は本発明に係る制御手段に相当し、第１のモータ１２１および第２のモータ１３１は本発明に係る駆動手段に相当する。
【００１６】
標準電波受信系１１は、例えば不図示の標準電波送信所から送信された標準時刻情報（時刻コードとも言う）を含む標準電波（標準時刻電波信号とも言う）を受信し、標準時刻電波信号のデコードを行い、信号Ｓ１１として制御回路１４に出力する。
【００１７】
標準電波受信系１１は、例えば図１に示すように、アンテナＡＮＴ、および長波受信回路（標準電波受信回路）１１０を有する。
長波受信回路１１０は、例えばアンテナＡＮＴを介して入力された標準時刻電波信号のデコードを行い、標準時刻信号を信号Ｓ１１として制御回路１４に出力する。詳細には長波受信回路１１０は、例えば不図示のＲＦアンプ、検波回路、波形整形回路を有し、増幅処理、検波処理、波形整形処理等を行い、処理結果の標準時刻信号を信号Ｓ１１として出力する。制御回路１４は信号Ｓ１１を基に内部時計１４０１や表示時刻の修正を行う。
【００１８】
また、例えば長波受信回路１１０は、制御回路１４から出力された、標準時刻電波信号の受信オン状態または受信オフ状態を制御させる制御信号ＣＴＬ１１に基づいて、標準時刻電波信号の受信オン状態または受信オフ状態を制御する。
【００１９】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波受信系１１で受信される標準電波は、図４（ａ）に示すような形態で送られてくる。
【００２０】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２１】
そして、受信状態が良好な場合には、標準電波受信系１１からは図４（ｂ）に示すように、標準電波信号に応じたパルス信号として信号Ｓ１１が、制御回路１４に出力される。
【００２２】
この信号Ｓ１１は、例えば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００２３】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２４】
また、標準時刻電波信号は、例えば毎時１５，４５分以外では図５（ａ）に示すように、１フレーム中０秒目から５３秒目の間の第１の期間ＴＬ１には、分情報、時情報、積算日情報、年情報、曜日情報等の時刻情報を含む。それ以外の５４秒目から５９秒目の間の第２の期間ＴＬ２には、時刻情報ではない非時刻情報を含んでいる。
また、標準時刻電波信号は、例えば毎時１５，４５分では図５（ｂ）に示すように、１フレーム中０秒目から３４秒目の間の第１の期間ＴＬ１には、分情報、時情報、積算日情報等の時刻情報を含む。それ以外の３５秒目から５９秒目の間の第２の期間ＴＬ２には、時刻情報でない非時刻情報を含んでいる。非時刻情報は例えば呼び出し符号情報や停波情報、その他、時刻情報と関係のない情報である。
【００２５】
本実施形態に係る制御回路１４は、後述するように、標準電波受信系１１が標準時刻電波信号を受信中、第１の期間ＴＬ１には指針を停止し、第２の期間ＴＬ２には指針を早送り駆動することで、時刻情報を受信している第１の期間ＴＬ１には駆動モータのノイズの影響を回避して、第１の期間ＴＬ１に含まれる時刻情報を良好な受信状態で適切に受信し、第２の期間ＴＬ２には、前記内部時計による時刻情報に応じた指針位置にまで早送り駆動させて現時刻表示を行わせる。
【００２６】
スイッチ群１２は、例えば図１に示すように、時刻修正スイッチＳＷ１２１、およびリセットスイッチＳＷ１２２を有する。
時刻修正スイッチＳＷ１２１は、例えば強制的に時刻修正を行う際に操作され、操作に応じて信号Ｓ１２１を制御回路１４に出力する。制御回路１４は、時刻修正スイッチＳＷ１２１から信号Ｓ１２が入力されると、後述するように、標準電波受信系１１で受信した標準時刻電波信号に基づいて、内部時計による時刻情報を修正し、指針の位置検出を行った後、内部時計による時刻情報を基に時刻修正処理を行う。
【００２７】
リセットスイッチＳＷ１２２は、内部状態をリセットする際に操作され、操作に応じて信号Ｓ１２２を制御回路１４に出力する。制御回路１４は、信号Ｓ１２２に基づいてリセット処理を行う。
【００２８】
発振回路１３は、例えば水晶発振器ＣＲＹおよびキャパシタＣ１３１，Ｃ１３２により構成され、所定周波数の基本クロックを示す信号Ｓ１３を制御回路１４に供給する。
【００２９】
制御回路１４は、例えば内部時計１４０１、およびメモリ１４０２を有する。
内部時計１４０１は、例えば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００３０】
メモリ１４０２は、例えば、制御回路１４のワークスペースとして用いられる。例えば、メモリ１４０２はＲＡＭ（Random Access Memory）やＲＯＭ（Read Only Memory）等で構成される。また、例えばメモリ１４０２は、本発明に係る処理手順を含むプログラムを有し、制御回路１４は、プログラムを実行することにより本発明に係る処理手順を実現する。
【００３１】
制御回路１４は、例えば通常運針時には、内部時計１４０１による時刻情報に基づいて、秒針を第１の距離単位毎に回転移動させる駆動パルス信号ＣＴＬ１を秒針用モータ１２１に出力し、時針および分針を第２の距離単位毎に回転移動させる駆動パルス信号ＣＴＬ２を時分針用モータ１３１に出力して、指針である時針、分針、秒針により現時刻表示を行わせる。
【００３２】
また、制御回路１４は、内部時計１４０１が計時する標準時刻情報（時刻情報ともいう）に基づいて、予め設定された時刻（設定時刻）に時刻修正動作を行う。
【００３３】
制御回路１４は、標準電波受信系１１においてアンテナＡＮＴを介して長波受信回路１１０が標準時刻電波信号を受信中、例えば図５（ａ），（ｂ）に示すように時刻情報を含む第１の期間ＴＬ１には駆動モータに指針を停止させる駆動信号を出力し、第２の期間ＴＬ２には駆動モータに、指針を内部時計１４０１による時刻情報に応じた指針位置にまで早送り駆動させる駆動信号を出力する。
【００３４】
詳細には、制御回路１４は、標準電波受信系１１が標準時刻電波信号を受信中、時刻情報を含む第１の期間ＴＬ１には秒針を駆動させる第１のモータ１２１に駆動信号としてのパルス信号を印加しないで、秒針の運針を停止させる。
また、制御回路１４は、時刻情報を含まない（非時刻情報を含む）第２の期間ＴＬ２には第１のモータ１２１に、指針を内部時計１４０１による時刻情報に応じた指針位置にまで早送り駆動させる駆動信号ＣＴＬ１を出力する。
【００３５】
制御回路１４は、長波受信回路１１０から出力された信号Ｓ１１を基に、例えば信号の立ち上がりを検出し、その立ち上がり時間を毎正時（００分００秒）とする。この際、内部時計１４０１では標準時刻電波信号に基づいて時刻情報として年情報、月情報、日情報、時情報、分情報、秒情報が計時されており、制御回路１４は時報情報を基に秒情報を修正する。
【００３６】
また、制御回路１４は、標準時刻電波信号の受信状態が良好であると判別した場合には、アンテナＡＮＴを介して長波受信回路１１０が受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００３７】
以下、より詳細に制御回路１４の時刻修正に係る機能を説明する。制御回路１４は、例えば初期状態、および時刻修正スイッチＳＷ１２１が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００３８】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００３９】
制御回路１４は、所定の時間、例えば本実施形態では８秒間の標準時刻電波信号のサンプリング（例えば３２Ｈｚ）を行い、そのサンプリングの結果に基づいて受信状態を判定する。詳細には、制御回路１４は、例えば標準電波受信系１１から入力される信号Ｓ１１のサンプリング（例えば３２Ｈｚ）を行い、エッジｅｄを検出し、そのエッジｅｄの有無や数に基いて受信状態を判定する。
【００４０】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００４１】
制御回路１４は、受信状態が基準範囲にない場合には、制御信号ＣＴＬ１を出力せずに、ドライブ信号ＤＲ１をドライブ回路１５に出力して、発光素子１６を発光させてユーザに標準電波信号がほとんど受信できない旨を報知させる。
【００４２】
また、制御回路１４は、標準電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００４３】
次に、電波修正時計のムーブメントおよび指針位置検出系の具体的な構成について、図２，３、図６〜図１４に関連付けて説明する。
【００４４】
時計本体１００は、図２，３に示すように、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００４５】
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用モータ１２１と、ロータ１２１ｃのピニオン１２１ｄに大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用モータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００４６】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用モータ１２１のロータ１２１ｃ（ピニオン１２１ｄ）と噛合して、ロータ１２１ｃの回転速度を所定速度に減速させる。この第１の５番車１２２には、図６，８に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００４７】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図６，９に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００４８】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００４９】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００５０】
秒針車１２３においては、図９に示すように、複数（１１個）の透孔１２３ｃを設ける代わりに、図１０に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００５１】
第２駆動系１３０は、図２，３、および図７に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用モータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用モータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００５２】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用モータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００５３】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１１に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００５４】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００５５】
また、分針車１３４には、図１２に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００５６】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００５７】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００５８】
また、時針車１３６には、図１３に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００５９】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００６０】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００６１】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【００６２】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００６３】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００６４】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００６５】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００６６】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００６７】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００６８】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００６９】
分針車１３４の分針パイプ１３４ｐの先端部および時針車１３６の時針パイプ１３６ｐの先端部には、図１４に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００７０】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００７１】
図１５は、図１に示した電波修正時計の動作を説明するためのフローチャートである。図１５を参照しながら、電波修正時計の動作を制御回路の動作を中心に説明する。
【００７２】
ステップＳＴ１において、制御回路１４は、初期設定、例えば内部変数等の初期設定を行う。
ステップＳＴ２において、制御回路１４は、強制受信を行うか否かを判別する。具体的には、制御回路１４は、例えば信号Ｓ１２２，Ｓ１２３を基に時刻修正スイッチＳＷ１２１やリセットスイッチＳＷ１２２が操作されたか否かを判別し、スイッチが操作されたと判別した場合には、ステップＳＴ５〜ＳＴ１１に示すように標準電波信号を受信して時刻修正を行う処理手順を実行する。操作されていないと判別した場合には、ステップＳＴ３の処理に進む。
【００７３】
ステップＳＴ３において、制御回路１４は、内部時計１４０１による時刻情報を基に、予め定められた設定時刻、例えば標準電波信号の受信状態がよい時刻、午前２時１０分等の設定時刻であるか否かを判別する。
設定時刻でないと判別した場合には、制御回路１４は、内部時計１４０１による時刻情報に基づいて、第１のモータ１２１および第２のモータ１３１に、指針を通常運針させる駆動信号ＣＴＬ１，ＣＴＬ２を出力し（ＳＴ４）、ステップＳＴ２の処理に戻る。
【００７４】
一方、内部時計１４０１による時刻情報を基に、予め定められた設定時刻であると判別した場合には、制御回路１４は、長波受信回路１１０に、標準電波信号を受信させる制御信号ＣＴＬ１１を出力して、長波受信回路１１０に標準時刻電波信号を受信させる（ＳＴ５）。
【００７５】
制御回路１４は、標準電波受信系１１が標準時刻電波信号を受信中、時刻情報を含む第１の期間ＴＬ１には秒針を駆動させる第１のモータ１２１に駆動信号ＣＴＬ１としてのパルス信号を印加しないで、秒針の運針を停止させる（ＳＴ６）。
また、制御回路１４は、時刻情報を含まない（非時刻情報を含む）第２の期間ＴＬ２には第１のモータ１２１に、秒針を内部時計１４０１による時刻情報に応じた指針位置にまで早送り駆動させる駆動信号ＣＴＬ１を出力する（ＳＴ７）。
詳細には、制御回路１４は、例えば第１の期間ＴＬ１には秒針を停止させ、第２の期間ＴＬ２には秒針を略２秒で１周させる程度の速度で、時刻情報に応じた指針位置にまで早送り駆動させる駆動信号ＣＴＬ１を、駆動モータ１２１に出力する。
【００７６】
ステップＳＴ８において、制御回路１４は、例えば内部時計１４０１による時刻情報に基づいて、予め設定された受信期間、例えば１０分間程度であるか否かを判別する。
例えば標準時刻電波信号から適切に時刻情報を抽出するには、所定フレームの標準電波信号を受信して積算するので、例えば１０分間程度の受信期間が必要である。
【００７７】
制御回路１４は、予め設定された受信期間内であると判別した場合には、ステップＳＴ５の処理に戻る。
一方、制御回路１４は、予め設定された受信期間経過したと判別した場合には、標準電波受信系１１がアンテナＡＮＴを介して受信した標準時刻電波信号を基に、内部時計１４０１による時刻情報を修正し（ＳＴ９）、標準電波受信系１１に標準時刻電波信号の受信をオフさせる制御信号ＣＴＬ１１を出力し、長波受信回路１１０を受信オフ状態に設定する（ＳＴ１０）。
【００７８】
ステップＳＴ１１において、制御回路１４は、指針検出処理処理を行い、内部時計１４０１が計時する修正された時刻情報、現時刻に応じた指針位置にまで早送り駆動させる駆動信号ＣＴＬ１，ＣＴＬ２をモータ１２１，１３１に出力して、秒針、分針、および時針に現時刻表示を行わせ、ステップＳＴ２の処理に戻る。
【００７９】
図１６は、図１に示した電波修正時計の指針位置検出処理の動作を示すフローチャートである。
制御回路１４は、指針駆動系を駆動して基準位置検出手段の検出処理に基づいて指針車の基準位置を検出した後、標準電波受信系１１のアンテナＡＮＴおよび長波受信回路１１０で受信した標準時刻電波信号に基づいて内部時計１４０１の計時時刻を修正し、内部時計１４０１の計時時刻に基づいて指針車の指針位置を設定する。
図１６を参照しながら指針位置検出処理を説明する。
【００８０】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【００８１】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【００８２】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【００８３】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【００８４】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【００８５】
続いて、制御回路１４から制御信号ＣＴＬ２が出力されて時分針用モータ１３１のみが所定の出力周波数でパルス駆動されて分針車１３４が早送りされる（ＳＴ１１１）。
【００８６】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【００８７】
一方、ステップＳＴ１１２の比較の結果、得られた出力パターンと記憶された出力パターンとが適合した場合は、その時点で、制御信号ＣＴＬ２の出力が停止され、時分針用モータ１３１が停止されて、分針車１３４および時針車１３６の駆動が停止される（ＳＴ１１３）。
【００８８】
ここで、出力パターンと予め記憶された出力パターンとの比較による時分針車の位置検出処理は、３種類のパターンのいずれかに合わせることにより行われる。
【００８９】
図１７は、図１に示した電波修正時計の検出光の出力パターンを説明するための図である。
すなわち、分針車１３４によるフォトトランジスタの出力パターンは、図１７（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１７（ｂ）に示すように、遮光部が作用するオフの幅が３種類のＤ部、Ｅ部、Ｃ部が所定間隔をおいて交互に現れるようなパターンとなり、両者を合成した出力パターンは、図１７（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１７に示すパターンのうちオンとなるパターンの部分は、実際には３番車１３３の遮光部によりオフとなる部分があるので、歯抜け状のパターンとなっている。
【００９０】
また、例えば分針車１３４および時針車１３６の基準位置として、図１７に示すように、０時００分、４時００分、および８時００分の位置に設定されている。
【００９１】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【００９２】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【００９３】
また、剣付けモードの際に、時分針車の原点検索処理が短くなるような出荷位置ＴＳ、本実施形態では１０時３０分に設定する場合を図１７を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図１７に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【００９４】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【００９５】
以上、説明したように、内部時計１４０１と、第１の期間ＴＬ１に時刻情報を含み第２の期間ＴＬ２に非時刻情報を含む標準時刻電波信号を受信する標準電波受信系１１と、駆動信号に基づいて指針を駆動するモータ１２１，１３１と、標準電波受信系１１が標準時刻電波信号を受信中、第１の期間ＴＬ１には第１のモータ１２１に秒針を停止させる駆動信号ＣＴＬ１を出力し、詳細にはパルス信号を停止する（出力しない）、第２の期間ＴＬ２には第１のモータ１２１に、秒針を内部時計１４０１による時刻情報に応じた指針位置にまで早送り駆動させる駆動信号を出力する制御回路１４とを設けたので、標準時刻電波信号を受信中、時刻情報を含む第１の期間ＴＬ１では駆動モータによるノイズの影響がなく、第１の期間に適切に時刻情報を抽出することができ、かつ第２の期間ＴＬ２において適切な時刻表示を行うことができ、その時刻情報を基に時刻修正を行うことができる。
【００９６】
また、本実施形態では標準電波信号を受信中、１分間の内、例えば０秒目から５３秒目の第１の期間ＴＬ１では、秒針は停止し、５４秒目から５９〜００秒目までの第２の期間ＴＬ２は、秒針は略２秒で１周する程度の速さで早送り駆動により現時刻を示す指針位置まで駆動されるので、表示時刻と現時刻との誤差が１分以上になることがない。
【００９７】
また、ユーザは、秒針が早送り駆動しているの視認することで、電波修正時計が標準時刻電波信号を受信している状態であることを容易に確認することができる。
【００９８】
また、モータとアンテナを接近させても、モータによるノイズの影響が低減されるので、より小型化の電波修正時計を提供することができる。
【００９９】
また、例えば従来のようにノイズ吸収素子を設ける必要がないので、消費電流を低減することができる。
また、一般的な電波修正時計の運針制御は、マイクロコンピュータ等の制御回路により実施することが多く、本発明に係る手順を含むプログラムを実行することにより、例えばノイズシールド板や、ノイズ吸収素子、多層式基板等の新たな構成を追加することなく、本発明を簡単に実現することができる。
また、モータとアンテナを接近させても、モータによるノイズの影響が低減されるので、より小型化の電波修正時計を提供することができる。
【０１００】
図１８は、本発明の第２実施形態に係るの電波修正時計の指針駆動系の構成図である。
第２実施形態に係る電波修正時計は、第１実施形態との大きな相違点は、第１のモータ１２１が分針および秒針を駆動し、第２のモータ１３１が時針を駆動する点である。また、後述するように分針および秒針を輪列構成や、時針を駆動する輪列構成も異なる。
電気的な機能ブロック等、第１実施形態と同じ構成については説明を省略し、相違点のみ説明する。
【０１０１】
通常運針時には、制御回路１４は、内部時計１４０１による時刻情報に基づいて、秒針および分針を第１の距離単位毎に回転移動させる駆動パルス信号ＣＴＬ１を第１のモータ１２１に出力し、時針を第２の距離単位毎に回転移動させる駆動パルス信号ＣＴＬ２を第２のモータ１３１に出力して、指針である時針、分針、秒針により現時刻表示を行わせる。
【０１０２】
また、制御回路１４は、標準電波受信系１１においてアンテナＡＮＴを介して長波受信回路１１０が標準時刻電波信号を受信中、例えば図５（ａ），（ｂ）に示すように時刻情報を含む第１の期間ＴＬ１には秒針および分針を駆動させる第１のモータ１２１に駆動信号としてのパルス信号を停止して（出力しないで）、秒針および分針の運針を停止させる。
また、制御回路１４は、時刻情報を含まない（非時刻情報を含む）第２の期間ＴＬ２には第１のモータ１２１に、秒針および分針を内部時計１４０１による時刻情報に応じた指針位置にまで早送り駆動させる駆動信号ＣＴＬ１を出力する。
【０１０３】
また、制御回路１４は、例えば時刻修正時には、指針車の原点検出処理を行い、内部時計１４０１で計時される時刻情報に応じた駆動信号ＣＴＬ１およびＣＴＬ２を出力して、指針による時刻表示の修正を行う。
【０１０４】
次に、電波修正時計のムーブメントおよび指針位置検出系の具体的な構成について、図１８に関連付けて第１実施形態との相違点のみ説明する。
【０１０５】
時計本体１００は、図１８に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【０１０６】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒分針駆動系）３２０、第２駆動系（時針駆動系）３３０、光検出センサ１４０等が固定あるいは軸支されている。
【０１０７】
第１駆動系３２０は、図１８に示すように、略コ字状のステータ３２１ａ、このステータ３２１ａの一方側の脚片に巻回された駆動コイル、このステータ１２１ａの他方の磁極間において回動自在に配置されたロータ３２１ｃにより構成された秒分針用モータ１２１と、ロータ３２１ｃのピニオン３２１ｄに大径歯車３２２ａが噛合した第１の５番車３２２と、この第１の５番車３２２の小径歯車３２２ｂに大径歯車１２３ａが噛合した秒針車１２３と、この秒針車１２３の小径歯車１２３ｂに大径歯車３２４ａが噛合した３番車３２４と、この３番車３２４の小径歯車３２４ｂに大径歯車１３４ａが噛合した分針車１３４により構成されている。
ここで、秒分針用モータ１２１は、ステータ３２１ａが中板１１３に載置して固定され、ロータ３２１ｃが中板１１３と上ケース１１２とに軸支されており、制御回路１４の出力制御信号ＣＴＬ１に基づいて、その回転方向、回転角度、および回転速度が制御される。
【０１０８】
第２駆動系３３０は、図１８に示すように、略コ字状のステータ３３１ａ、このステータ３３１ａの一方側の脚片に巻回された駆動コイル、このステータ３３１ａの他方の磁極間において回動自在に配置されたロータ３３１ｃにより構成された時針用モータ１３１とロータ３３１ｃのピニオン３３１ｄに大径歯車３３２ａが噛合した第２の５番車３３２と、この第２の５番車３３２の小径歯車３３２ｂに大径歯車３３３ａが噛合した中間車（日の裏車）３３３と、この中間車（日の裏車）３３３の小径歯車３３３ｂに大径歯車１３６ａが噛合した時針車１３６とにより構成されている。
ここで、時針用モータ１３１は、ステータ３３１ａが中板１１３に載置して固定され、ロータ３３１ｃが中板１１３と上ケース１１２とに軸支されており、制御回路１４の出力制御信号に基づいて、その回転方向、回転角度、および回転速度が制御される。
【０１０９】
上記構成の電波修正時計の動作を第１実施形態との相違点のみ簡単に説明する。
制御回路１４は、標準電波受信系１１においてアンテナＡＮＴを介して長波受信回路１１０が標準時刻電波信号を受信中、例えば図５（ａ），（ｂ）に示すように時刻情報を含む第１の期間ＴＬ１には秒針および分針を駆動させる第１のモータ１２１に駆動信号としてのパルス信号を停止して（出力しないで）、秒針および分針の運針を停止させ、第２の期間ＴＬ２には第１のモータ１２１に、秒針および分針を内部時計１４０１による時刻情報に応じた指針位置にまで早送り駆動させる駆動信号ＣＴＬ１を出力し、輪列を介して秒針および分針を早送り駆動させる。
この際、詳細には、制御回路１４は、例えば第１の期間ＴＬ１には秒針および分針を停止させ、第２の期間ＴＬ２には秒針を略２秒で１周させる程度の速度で、時刻情報に応じた指針位置にまで早送り駆動させる駆動信号ＣＴＬ１を、駆動モータ１２１に出力する。
【０１１０】
以上説明したように、本実施形態では、第１のモータが秒針および分針を駆動し、第２のモータが時針を駆動しているが、標準時刻電波信号の受信中、時刻情報を含む第１の期間ＴＬ１では駆動モータ１２１によるノイズの影響がなく、第１の期間に適切に時刻情報を抽出することができ、かつ第２の期間ＴＬ２において適切な時刻表示を行うことができ、その時刻情報を基に時刻修正を行うことができる。
【０１１１】
なお、本発明は本実施形態に限られるものではなく、任意好適な種々の変更が可能である。
例えば制御回路１４は、初期状態で各指針位置を示す情報を設定し、その状態から各駆動モータに印加した駆動パルス信号のパルス数を記憶することで指針位置を把握してもよい。こうすることで、制御回路１４は、各モード切替時や、指針による表示時刻の時刻修正時に位置検出処理を行う必要がなくなり、また、光検出センサ部１４０や、輪列に透孔を設ける必要がなくなり、より簡単な構造で本発明を実現することができる。
【０１１２】
また、上述した形態では、制御回路１４は、３個の指針、秒針、分針、および時針を２個の駆動モータにより駆動していたが、この形態に限られるものではない。例えば１個の駆動モータにより１〜複数個の指針を駆動してもよいし、３個の駆動モータにより３個の指針を独立に駆動してもよい。上述したように制御回路１４は、時刻情報を含む第１の期間に駆動パルス信号を停止して（出力しないで）、指針を停止し、非時刻情報を含む第２の期間中に早送り駆動を行わせる駆動信号を駆動モータに出力すればよい。
【０１１３】
また、上述した実施形態では、制御回路１４はメモリが記憶するプログラムを実行することにより本発明に係る処理手順を実現したが、この形態に限られるものではない。例えば制御回路１４はハードワイヤド（hard wired）により本発明に係る処理を実現してもよい。
【０１１４】
また、通常運針時には、指針をステップ運針や、連続運針、その他、所定単位時間の間に停止している時間と動いている時間やタイミングを任意に変えた運針を行ってもよい。
また、上述した制御回路１４の処理の順番は上述した形態に限られるものではない。
【図面の簡単な説明】
【０１１５】
【図１】本発明に係る電波修正時計の第１実施形態の機能ブロック図である。
【図２】図１に示した電波修正時計の構成図である。
【図３】図２に示した電波修正時計の断面図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】電波修正時計の一部である秒針を駆動する第１駆動系を示す平面図である。
【図７】電波修正時計の一部である分針および時針を駆動する第２駆動系を示す平面図である。
【図８】秒針を駆動する第１駆動系の一部をなす第１の５番車を示す平面図である。
【図９】秒針を駆動する第１駆動系の一部をなす秒針車を示す平面図である。
【図１０】秒針を駆動する第１駆動系の一部をなす秒針車の他の例を示す平面図である。
【図１１】分針および時針を駆動する第２駆動系の一部をなす３番車を示す平面図である。
【図１２】分針および時針を駆動する第２駆動系の一部をなす分針車を示す平面図である。
【図１３】分針および時針を駆動する第２駆動系の一部をなす時針車を示す平面図である。
【図１４】分針パイプおよび時針パイプの先端部を示す端面図である。
【図１５】図１に示した電波修正時計の動作を説明するためのフローチャートである。
【図１６】図１に示した電波修正時計の指針位置検出処理の動作を示すフローチャートである。
【図１７】図１に示した電波修正時計の検出光の出力パターンを説明するための図である。
【図１８】本発明の第２実施形態に係るの電波修正時計の指針駆動系の構成図である。
【符号の説明】
【０１１６】
１…電波修正時計、１１…電波受信系、１２…スイッチ群、１３…発振回路、１４…制御回路、１５…ドライブ回路、１６…発光素子、１７…バッファ回路、１８…ドライブ回路、１００…時計本体部（機械機構：ムーブメント）、１１１…下ケース、１１２…上ケース、１１３…中板、１２０…第１駆動系、１２１…第１のモータ、１２２…第１の５番車、１２３…秒針車、１２４…分針車、１２６…６番車、１２７…７番車、１３０…第２駆動系、１３１…第２のモータ、１３２…第２の５番車、１３３…３番車、１３４…分針車、１３５…日の裏車、１３６…時針車、１４０…光検出センサ、１４２…発光素子、１４３…回路基板、１４４…受光素子、１５０…手動修正系、１５１…手動修正軸、１４０１…内部時計、１４０２…メモリ、ＳＷ１２１…時刻修正スイッチ、ＳＷ１２２…リセッスイッチ。
【図１】
2005233660.tif 000003
【図２】
2005233660.tif 000004
【図３】
2005233660.tif 000005
【図４】
2005233660.tif 000006
【図５】
2005233660.tif 000007
【図６】
2005233660.tif 000008
【図７】
2005233660.tif 000009
【図８】
2005233660.tif 000010
【図９】
2005233660.tif 000011
【図１０】
2005233660.tif 000012
【図１１】
2005233660.tif 000013
【図１２】
2005233660.tif 000014
【図１３】
2005233660.tif 000015
【図１４】
2005233660.tif 000016
【図１５】
2005233660.tif 000017
【図１６】
2005233660.tif 000018
【図１７】
2005233660.tif 000019
【図１８】
2005233660.tif 000020